(57)【要約】【課題】電気や筆記具が不要で、簡単に文字記号を表示できる情報表示具を提供する。【解決手段】基盤３上に、縦方向及び横方向に切り起し部４を整列させて設ける。切り起し部４は、初期位置４ａにおいては基盤３と同一平面を構成し、切り起こされて表裏反転されて表現位置４ｂに配置される。基盤３及び切り起し部４は、表面側が紙の地である白色であり、また裏面側が例えば赤色に着色されている。表現位置４ｂに配置された切り起し部は、白色の基盤３に対して、赤色を表出する。表現位置４ｂに配置する切り起し部４を適宜に選択することで、ドット文字を表現することができる。【選択図】図１
0003130395.tif 000002
【実用新案登録請求の範囲】
【請求項１】
基盤上に並べられた複数の切り起し部を備えたシート状の情報表示具において、
前記基盤と前記切り起し部とを連結する接続部と、
前記基盤と前記切り起し部とを分離するスリットと、を備え、
前記切り起し部は、前記基盤と同一平面を構成する初期位置と、前記接続部を基準として表裏反転されて、前記基盤の表面側に裏面側を表出する表現位置とを取り、
選択的に表裏反転された前記複数の切り起し部の裏面の集合によって、文字記号をドット表現する、
ことを特徴とする情報表現具。
【請求項２】
前記基盤の表面と、前記切り起し部の裏面とが少なくとも違いが識別できる程度に異なる色である、
ことを特徴とする請求項１に記載の情報表現具。
【請求項３】
前記複数の切り起し部が、前記基盤に対して縦方向及び横方向に整列された状態で配列されている、
ことを特徴とする請求項１又は２に記載の情報表現具。
【請求項４】
前記複数の切り起し部が、縦方向に等間隔で整列されている、
ことを特徴とする請求項３に記載の情報表現具。
【請求項５】
前記複数の切り起し部が、横方向に等間隔で整列されている、
ことを特徴とする請求項３又は４に記載の情報表現具。
【請求項６】
前記基盤及び前記複数の切り起し部は、枚葉紙によって形成されている、
ことを特徴とする請求項５に記載の情報表示具。
【請求項７】
前記基盤及び前記複数の切り起し部は、前記複数の切り起し部が縦方向に７個、横方向に多数設けられたロール状に巻かれた紙によって形成されている、
ことを特徴とする請求項５に記載の情報表示具。
【請求項８】
前記スリットを中断するように、前記基盤と前記切り起し部とを連結する補助接続部を有する、
ことを特徴とする請求項１ないし７のいずれか１項に記載の情報表示具。
【請求項９】
前記基盤に、前記複数の切り起し部の横方向の数が、所定の１単位であることを示す目印が付されている、
ことを特徴とする請求項６ないし８に記載の情報表示具。
【請求項１０】
前記切り起し部が半円の円弧よりも長い円弧状に形成され、前記接続部が弦状に形成されている、
ことを特徴とする請求項１ないし９のいずれか１項に記載の情報表示具。
【請求項１１】
前記接続部が、前記切り起し部に対して上側又は下側に配置されている、
ことを特徴とする請求項１ないし１０のいずれか１項に記載の情報表示具。
【請求項１２】
前記接続部が、前記切り起し部に対して左側又は右側に配置されている、
ことを特徴とする請求項１ないし１０のいずれか１項に記載の情報表示具。
【請求項１３】
前記複数の切り起し部のうちの、縦３列、横２列を１ブロックとして、点字を表現する、
ことを特徴とする請求項７ないし１２のいずれか１項に記載の情報表示具。
【請求項１４】
前記基盤及び前記切り起し部の表面側又は裏面側に、ドット表現を行うための記載例を表示する、
ことを特徴とする請求項１ないし１３のいずれか１項に記載の情報表示具。
【考案の詳細な説明】
【技術分野】
【０００１】
本考案は、基盤から選択的に切り起した複数の切り起し部の集合によってアルファベットやカタカナ等の文字記号を表現する情報表示具に関する。
【背景技術】
【０００２】
文字や記号等の情報を伝達する手段として、例えば、紙等に筆記具で手書きする、ポスターやチラシを絵筆等で直接描く、ポスターやチラシを印刷する、液晶パネル等の表示画面に電気的に表示する、電光表示器（例えば、特許文献１参照）にドット文字を流すように電気的に表示するなどが挙げられる。これらの方法は、ＴＰＯを考慮して、適宜に使い分けられている。
【特許文献１】実開平６−８７９９１号公報
【考案の開示】
【考案が解決しようとする課題】
【０００３】
ところが、上述の方法は、筆記具や絵筆が必要であったり、印刷機、液晶パネル、電光表示器等のハードやこれらを駆動するためのソフトが必要であったりする。逆に言うと、これらがない場合には、文字記号等の情報を表示することができないという問題がある。
【０００４】
そこで、本考案は、筆記具，絵筆，印刷機，液晶パネル，電光表示機等を使用することなく、簡単に誰でもが伝達した文字記号を表示することができる情報表示具を提供することを目的とするものである。
【課題を解決するための手段】
【０００５】
請求項１に係る考案は、基盤上に並べられた複数の切り起し部を備えたシート状の情報表示具に関する。この考案に係る情報表示具は、前記基盤と前記切り起し部とを連結する接続部と、前記基盤と前記切り起し部とを分離するスリットと、を備え、前記切り起し部は、前記基盤と同一平面を構成する初期位置と、前記接続部を基準として表裏反転されて、前記基盤の表面側に裏面側を表出する表現位置とを取り、選択的に表裏反転された前記複数の切り起し部の裏面の集合によって、文字記号をドット表現する、ことを特徴としている。
【０００６】
請求項２に係る考案は、請求項１に係る情報表現具において、前記基盤の表面と、前記切り起し部の裏面とが少なくとも違いが識別できる程度に異なる色である、ことを特徴としている。
【０００７】
請求項３に係る考案は、請求項１又は２に係る情報表現具において、前記複数の切り起し部が、前記基盤に対して縦方向及び横方向に整列された状態で配列されている、ことを特徴としている。
【０００８】
請求項４に係る考案は、請求項３に係る情報表現具において、前記複数の切り起し部が、縦方向に等間隔で整列されている、ことを特徴としている。
【０００９】
請求項５に係る考案は、請求項３又は４に係る情報表現具において、前記複数の切り起し部が、横方向に等間隔で整列されている、ことを特徴としている。
【００１０】
請求項６に係る考案は、請求項５に係る情報表示具において、前記基盤及び前記複数の切り起し部は、枚葉紙によって形成されている、ことを特徴としている。
【００１１】
請求項７に係る考案は、請求項５に係る情報表示具において、前記基盤及び前記複数の切り起し部は、前記複数の切り起し部が縦方向に７個、横方向に多数設けられたロール状に巻かれた紙によって形成されている、ことを特徴としている。
【００１２】
請求項８に係る考案は、請求項１ないし７のいずれか１項に係る情報表示具において、前記スリットを中断するように、前記基盤と前記切り起し部とを連結する補助接続部を有する、ことを特徴としている。
【００１３】
請求項９に係る考案は、請求項６ないし８に係る情報表示具において、前記基盤に、前記複数の切り起し部の横方向の数が、所定の１単位であることを示す目印が付されている、ことを特徴としている。
【００１４】
請求項１０に係る考案は、請求項１ないし９のいずれか１項に係る情報表示具において、前記切り起し部が半円の円弧よりも長い円弧状に形成され、前記接続部が弦状に形成されている、ことを特徴としている。
【００１５】
請求項１１に係る考案は、請求項１ないし１０のいずれか１項に係る情報表示具において、前記接続部が、前記切り起し部に対して上側又は下側に配置されている、ことを特徴としている。
【００１６】
請求項１２に係る考案は、請求項１ないし１０のいずれか１項に係る情報表示具において、前記接続部が、前記切り起し部に対して左側又は右側に配置されている、ことを特徴としている。
【００１７】
請求項１３に係る考案は、請求項７ないし１２のいずれか１項に係る情報表示具において、前記複数の切り起し部のうちの、縦３列、横２列を１ブロックとして、点字を表現する、ことを特徴としている。
【００１８】
請求項１４に係る考案は、請求項１ないし１３のいずれか１項に係る情報表示具において、前記基盤及び前記切り起し部の表面側又は裏面側に、ドット表現を行うための記載例を表示する、ことを特徴としている。
【考案の効果】
【００１９】
請求項１の考案によると、切り起し部を選択的に表裏反転させることにより、表裏反転させた複数の切り起し部の裏面の集合によって、文字記号をドット表現することができる。つまり、例えば、表示パネル等の表示手段に電気的に文字記号を表示したり、紙等の表示手段に筆記具を使って前もって文字記号を表示したりすることなく、文字記号を簡単に表現することができる。
【００２０】
請求項２の考案によると、基盤の表面と切り起し部の裏面との色の違いによって、文字記号をドット表現することができる。なお、色の違いとは、彩度が異なる場合はもちろん、例えば、白、灰色、黒等の明度が異なる場合も含むものとする。
【００２１】
請求項３の考案によると、縦横に整列された切り起し部の中から文字記号に相当する切り起し部を表裏反転させることにより、文字記号をドット表現することができる。
【００２２】
請求項４の考案によると、少なくとも切り起し部が縦方向に等間隔で整列されている。
【００２３】
請求項５の考案によると、切り起し部は、縦横、マトリクス状に整列されている。
【００２４】
請求項６の考案によると、枚葉紙によって、文字記号をドット表現することができる。
【００２５】
請求項７の考案によると、切り起し部を縦方向に７個、横方向に多数設けることで、表裏反転する切り起し部を適宜に選択することで、アルファベットやカタカナを識別できる程度に複数、ドット表現することが可能となる。また、基盤等がロール状に巻かれた紙によって形成されているので、紙を巻き解くことで、連続して多数の文字記号をドット表現することができる。
【００２６】
請求項８の考案によると、補助接続部を設けることで、表裏反転する前の切り起し部が、不安定な状態になることを防止することができる。
【００２７】
請求項９の考案によると、目印により、例えば、１文字を表現するのに必要な切り起し部の範囲を容易に把握することができる。
【００２８】
請求項１０の考案によると、切り起し部を弦状の接続部を基準に表裏反転することにより、切り起し部の裏面によって、円形に近いドットを表現することができる。
【００２９】
請求項１１，１２の考案によると、接続部は、切り込み部に対して、上下左右の任意の位置に設定することができる。
【００３０】
請求項１３の考案によると、表裏反転された切り起し部は、基盤の表面に対して段差を持つので、縦３列、横２列の切り起し部を、点字のルールに則って選択的に表裏反転することにより、点字を構成することができる。
【００３１】
請求項１４の考案によると、記載例を手本として、表裏反転する切り起し部を容易に確定することができる。
【考案を実施するための最良の形態】
【００３２】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００３３】
図１を参照して、本考案に係る情報表示具１の一例について説明する。同図は、情報表示具１の全体を表面側から見た図であり、アルファベットの「Ｗ」及び「Ｅ」を連続して表示する例を示している。
【００３４】
図１に示すように、情報表示具１は、ロール状に巻かれた紙２によって形成されていて、基盤３と基盤３上に並べられた複数の切り起し部４とを備えている。ただし、同図では、ロール状の紙２の一部を巻き解いた状態を示している。基盤３と切り起し部４とは、接続部５によって連結されており、また、スリット６によって分離されている。スリット６は、半円の円弧よりも長い円弧状に形成されており、接続部５は、この円弧に対応する弦状に形成されている。使用前の情報表示具１においては、切り起し部４は、基盤３と同一平面を構成している。このときの切り起し部４の位置を初期位置４ａとする。初期位置４ａにある切り起し部４は、接続部５を基準として表面側に切り起こして表裏反転することで、その裏面側を、基盤３の表面３ａ側に表出する。このときの位置を表現位置４ｂとする。
【００３５】
本実施形態では、切り起し部４は、縦方向に７個、横方向に多数、設けられている。これらの各切り起し部４間のピッチは、切り起し部４の直径のほぼ２倍に設定されている。なお、このピッチについては、ドット文字を見やすくしたい場合には、小さめに設定するとよい。また、本実施形態では、基盤３及び切り起し部４の表面側全体は、紙の地の色である白色になっており、一方、基盤３及び切り起し部４の裏面側全体は、ドット文字として表現したい色、例えば、赤色に印刷されている。したがって、表現位置４ｂに配置された切り起し部は、表裏反転されているので、白色である基盤３の表面３ａに、裏面の赤色を表出することになる。つまり、適宜な位置の切り起し部４を表裏反転させて、初期位置４ａから表現位置４ｂに配置することで、所望の文字をドット表現することができる。図１では、アルファベットの「Ｗ」及び「Ｅ」を表現している。
【００３６】
図１に示すように、本実施形態では、基盤３の下端縁３ｃには、目印としての半円状の切欠７ａ，７ｂが設けられている。このうち、切欠７ｂは、ドット文字を作成する際に、文字の中心となる位置を示しており、切欠７ａは、相互に隣接する２個のドット文字の境界を示すものである。この境界に対応する切り起し部４は、初期位置４ａに配置されたままで、視覚的に、基盤３の表面３ａと同化して、隣接するドット文字を読みやすくするための空間を形成している。なお、本実施形態では、切欠７ｂを中心に左右２列、合計横５列、縦７列の切り起し部を１ブロックとしてドット文字を表現する。
なお、
【００３７】
基盤３における表面３ａの一部には、ドット文字を形成する際の記載例８が記載されている。図１の例では、「ようこそ」という意味を表現するための英単語として「ＷＥＬＣＯＭＥ」が記載されている。使用者は、この記載に基づいて、「ＷＥＬＣＯＭＥ」に対応する切り起し部を順次に表現位置に配置していく。なお、この記載例８は、基盤３の裏面に記載するようにしてもよい。この場合には、記載例８が、左右反転された鏡文字として記載されていると便宜である。
【００３８】
以上のように、本考案に係る情報表示具１によると、筆記具，絵筆，印刷機，液晶パネル，電光表示機等を使用することなく、簡単に誰でもが伝達した文字記号をドット表示することができる。さらに、情報処理具１は、訂正が容易であり、繰り返しの使用が可能である。例えば、一旦、表裏反転する切り起し部４の位置を間違えた場合には、その切り起し部４を表現位置４ｂから初期位置４ａに戻せばよい。このことは、また、１つの情報表示具を繰り返し使用できることも意味している。
＜実施形態２＞
【００３９】
図２を参照して、実施形態２を説明する。本実施形態では、本考案に係る情報表示具を、点字として使用している。
【００４０】
点字においては、縦３列、横２列の合計６個が１ブロックとなって表現を行う。図２では、ブロックＢ１〜Ｂ４で、「ようこそ」と表現した例を示す。また、ブロックＢ６，Ｂ７では、点字で「ＰＡＲＴＹ」と表現する際の、「Ｐ」，「Ａ」に対応する点字を示している。なお、この場合には、ブロックＢ６の前のブロックＢ５において、外字符を形成している。
【００４１】
このように、本考案に係る情報表示具１は、表現位置４ｂに配置した切り起し部４が、基盤３に対して段差を持つので、これを利用して、点字を作成することができる。なお、情報表示具１を点字として使用する場合には、基盤３及び切り起し部４に色を付す必要はない。
【００４２】
以上の実施形態では、情報表示具１をロール状に巻いた紙２に形成する場合を例に説明したが、これに限らず、１枚位ずつ個別に断裁された枚葉紙に形成するようにしてもよい。
【００４３】
また、上述では、接続部５が切り起し部の下側に形成される場合を例に説明したが、これに限らず、図３（ａ），（ｂ），（ｃ）に示すように、上側又は左側又は右側であってもよい。
【００４４】
また、使用前の切り起し部４が不要に起き上がったり、折れ曲がったりすることを防止するために、図４のように補助接続部９ａ，９ｂ，９ｃを設けるようにしてもよい。補助接続部９ａ，９ｂ，９ｃは、スリット６を短いスリット６ａ，６ｂ，６ｃ，６ｄに中断するように、基盤３と切り起し部４とをスポット的に連結するものであり、使用時には簡単に切り離すことができるようになっている。なお、補助接続部９ａ，９ｂ，９ｃは、３つに限らず、１つ又は２つであってもよく、位置については、任意の位置に設定することができる。この場合、基盤３がロール状の紙２の場合には、巻かれたときに、接断されにくい箇所に設けるとよい。
【００４５】
また、上述では、切り起し部４の形状が円弧に囲まれた形状である場合を例に説明したが、これ以外に、楕円形や方形や星型等、任意の形状を採用することができる。
また、上述では、切り起し部４の数が、縦７列、横多数の場合を例に説明したが、情報表示具１の使用態様に応じて、任意の数に設定することができる。さらには、切り起し部４を上下左右に近接させて配置することにより、ドット文字ばかりでなく、ドットによって絵を表現することも可能となる。
【００４６】
また、上述では、情報表示具１を紙で形成した例を説明したが、表裏反転して表現位置４ａに配置した切り起し部４が、その位置を保持することが可能であれば、紙に代えて、合成紙や合成樹脂シートを使用することも可能である。
【００４７】
上述では、基盤３及び切り起し部４の裏面全体を赤色の着色する場合を例に説明したが、これに限らず、基盤３の裏面は、表面と同様に着色せず、切り起し部４の裏面のみを着色するようにしてもよい。また、この逆に、基盤３及び切り起し部４の表面を着色し、基盤３及び切り起し部４の裏面は着色しないで地の色のままの白色とするといった態様も可能である。この場合、着色された基盤３の表面に、着色されない切り起し部４の裏面によってドット文字を形成することになる。さらには、基盤３及び切り起し部４の、表面及び裏面の双方に着色するようにしてもよい。この場合には、表裏の区別なく、リバーシブルの間隔で、情報処理具１を使用することができる。
【図面の簡単な説明】
【００４８】
【図１】情報表示具の全体を表面側から見た図である。
【図２】情報処理具を点字として使用する例を説明する図である。
【図３】（ａ），（ｂ），（ｃ）は接続部を異なる位置に設ける例を説明する図である。
【図４】接続部のほかに、補助接続部を設けた例を説明する図である。
【符号の説明】
【００４９】
１          情報表示具
２          ロール状の紙
３          基盤
４          切り起し部
４ａ        初期位置
４ｂ        表現位置
５          接続部
６，６ａ，６ｂ，６ｃ，６ｄ
スリット
７ａ，７ｂ  切欠（目印）
８          記載例
９ａ，９ｂ，９ｃ
補助接続部
【図１】
0003130395.tif 000003
【図２】
0003130395.tif 000004
【図３】
0003130395.tif 000005
【図４】
0003130395.tif 000006
【手続補正書】
【提出日】平成19年1月18日(2007.1.18)
【手続補正１】
【補正対象書類名】実用新案登録請求の範囲
【補正対象項目名】全文
【補正方法】変更
【補正の内容】
【実用新案登録請求の範囲】
【請求項１】
基盤上に並べられた複数の切り起し部を備えたシート状の情報表示具において、
前記基盤と前記切り起し部とを連結する接続部と、
前記基盤と前記切り起し部とを分離するスリットと、を備え、
前記切り起し部は、前記基盤と同一平面を構成する初期位置と、前記接続部を基準として表裏反転されて、前記基盤の表面側に裏面側を表出する表現位置とを取り、
選択的に表裏反転された前記複数の切り起し部の裏面の集合によって、文字記号をドット表現する、
ことを特徴とする情報表現具。
【請求項２】
前記基盤の表面と、前記切り起し部の裏面とが少なくとも違いが識別できる程度に異なる色である、
ことを特徴とする請求項１に記載の情報表現具。
【請求項３】
前記複数の切り起し部が、前記基盤に対して縦方向及び横方向に整列された状態で配列されている、
ことを特徴とする請求項１又は２に記載の情報表現具。
【請求項４】
前記複数の切り起し部が、縦方向に等間隔で整列されている、
ことを特徴とする請求項３に記載の情報表現具。
【請求項５】
前記複数の切り起し部が、横方向に等間隔で整列されている、
ことを特徴とする請求項３又は４に記載の情報表現具。
【請求項６】
前記基盤及び前記複数の切り起し部は、枚葉紙によって形成されている、
ことを特徴とする請求項５に記載の情報表示具。
【請求項７】
前記基盤及び前記複数の切り起し部は、前記複数の切り起し部が縦方向に７個、横方向に多数設けられたロール状に巻かれた紙によって形成されている、
ことを特徴とする請求項５に記載の情報表示具。
【請求項８】
前記スリットを中断するように、前記基盤と前記切り起し部とを連結する補助接続部を有する、
ことを特徴とする請求項１ないし７のいずれか１項に記載の情報表示具。
【請求項９】
前記基盤に、前記複数の切り起し部の横方向の数が、所定の１単位であることを示す目印が付されている、
ことを特徴とする請求項６ないし８のいずれか１項に記載の情報表示具。
【請求項１０】
前記切り起し部が半円の円弧よりも長い円弧状に形成され、前記接続部が弦状に形成されている、
ことを特徴とする請求項１ないし９のいずれか１項に記載の情報表示具。
【請求項１１】
前記接続部が、前記切り起し部に対して上側又は下側に配置されている、
ことを特徴とする請求項１ないし１０のいずれか１項に記載の情報表示具。
【請求項１２】
前記接続部が、前記切り起し部に対して左側又は右側に配置されている、
ことを特徴とする請求項１ないし１０のいずれか１項に記載の情報表示具。
【請求項１３】
前記複数の切り起し部のうちの、縦３列、横２列を１ブロックとして、点字を表現する、
ことを特徴とする請求項７ないし１２のいずれか１項に記載の情報表示具。
【請求項１４】
前記基盤及び前記切り起し部の表面側又は裏面側に、ドット表現を行うための記載例を表示する、
ことを特徴とする請求項１ないし１３のいずれか１項に記載の情報表示具。
【手続補正２】
【補正対象書類名】明細書
【補正対象項目名】００１３
【補正方法】変更
【補正の内容】
【００１３】
請求項９に係る考案は、請求項６ないし８のいずれか１項に係る情報表示具において、前記基盤に、前記複数の切り起し部の横方向の数が、所定の１単位であることを示す目印が付されている、ことを特徴としている。